(57)【特許請求の範囲】
【請求項１】
エラストマーリングと、
該エラストマーリングの第１の面に配置され且つ該エラストマーリングの周りに同心円状に延在する第１導電性トレース及び第２導電性トレースと、
前記第１導電性トレースに電気的に接続された第１導電性コネクタと、
前記第２導電性トレースに電気的に接続され且つ前記第１導電性コネクタから前記エラストマーリングを横断した反対側の点に配置された第２導電性コネクタと
を具備する、嚢切開電極装置。
【請求項２】
前記第１導電性コネクタ及び第２導電性コネクタの少なくとも一方が、前記エラストマーリング内に配置されたソケットを具備する、請求項１に記載の嚢切開電極装置。
【請求項３】
前記ソケットが前記第１の面とは反対の方向から結合コネクタにアクセスできる、請求項２に記載の嚢切開電極装置。
【請求項４】
前記第１導電性コネクタ及び第２導電性コネクタの少なくとも一方が、前記エラストマーリングに取り付けられ且つ該エラストマーリングから延在するピンを具備する、請求項１に記載の嚢切開電極装置。
【請求項５】
前記ピンが前記第１の面とは実質的に反対の方向において前記エラストマーリングから延在する、請求項４に記載の嚢切開電極装置。
【請求項６】
前記第１導電性トレース及び第２導電性トレースの少なくとも一方が、前記エラストマーリングの第１の面に塗布される導電性インクを具備する、請求項１に記載の嚢切開電極装置。
【請求項７】
前記第１導電性トレース及び第２導電性トレースの少なくとも一方が、前記エラストマーリングの第１の面に塗布される接着ストリップを具備する、請求項１に記載の嚢切開電極装置。
【請求項８】
前記第１導電性トレースが前記エラストマーリングの周りに完全に延在する、請求項１に記載の嚢切開電極装置。
【請求項９】
前記第２導電性トレースが、前記第１導電性トレースと前記第１導電性コネクタとの間の電気的な接続部に近接した不連続部を除いて前記エラストマーリングの周りに完全に延在する、請求項８に記載の嚢切開電極装置。
【請求項１０】
ハンドピースと、
該ハンドピースに固定され且つ該ハンドピースの遠位端から延在する第１ストレッチャー棒と、
該第１ストレッチャー棒に対して往復運動できるように、前記ハンドピースの遠位端から延在し且つ該ハンドピースに取り付けられた第２ストレッチャー棒と
を具備する自動嚢切開システムであって、
前記第１ストレッチャー棒及び第２ストレッチャー棒の各々が、取り外し可能な可撓性のある嚢切開電極装置上の対応するコネクタと結合するように構成された導電性コネクタを具備する、自動嚢切開システム。
【請求項１１】
前記導電性コネクタの少なくとも一つが、前記嚢切開電極装置上の対応するソケットと結合するように構成されたピンを具備する、請求項１０に記載の自動嚢切開システム。
【請求項１２】
前記導電性コネクタの少なくとも一つが、前記嚢切開電極装置上の対応するピンと結合するように構成されたソケットを具備する、請求項１０に記載の自動嚢切開システム。
【請求項１３】
前記第２ストレッチャー棒が前記ハンドピース装置上の親指摺動部に据え付けられる、請求項１０に記載の自動嚢切開システム。
【請求項１４】
前記取り外し可能な可撓性のある嚢切開電極装置を更に具備し、前記第１ストレッチャー棒及び第２ストレッチャー棒上の導電性コネクタが前記嚢切開電極装置上の対応するコネクタと係合される、請求項１０に記載の自動嚢切開システム。
【請求項１５】
前記導電性コネクタに電気的に接続される高周波電源を更に具備する、請求項１０に記載の自動嚢切開システム。
【発明の詳細な説明】
【技術分野】
【０００１】
本発明は、概して白内障の外科手術の分野に関し、特に嚢切開を行うための方法及び器械に関する。
【背景技術】
【０００２】
白内障の治療法について認容された治療法は、外科的に水晶体を取り除いてその水晶体機能を人工水晶体（ＩＯＬ）に置き換えることである。米国では、白内障の水晶体の大部分は水晶体超音波乳化吸引術と呼ばれる外科技術によって取り除かれる。白内障の水晶体を取り除く前に、前嚢において、穴又は切開が作られなければならない。水晶体超音波乳化吸引術の際、水晶体核が乳化される間に前嚢切開の切り口に多大な張力が存在する。従って、「片（tag）」が無い連続的な切断又は切裂（切開）は安全且つ効率的な水晶体超音波乳化吸引術の手術において極めて重要なステップである。
【０００３】
多数の小さい嚢の裂け目を用いて嚢が開かれる場合、残っている小片は嚢の径方向の裂け目を導くことがあり、嚢の径方向の裂け目は後嚢内にまで延在しうる。斯かる径方向の裂け目は、手術において、白内障を更に取り除くことと、後で水晶体嚢内に人工水晶体を安全に配設することとについて、水晶体を不安定にするので、合併症を構成する。更に、その後、後嚢に穴が開けられると、硝子体液が眼の前房にアクセスしうるようになる。このことが起きた場合、専用器具を用いた追加手術によって硝子体液を取り除かなければならない。硝子体液の喪失は、後に起きる網膜剥離及び／又は眼の感染症の比率増加とも関係する。これら合併症によって失明する可能性があることは重大である。
【０００４】
水晶体超音波乳化吸引術に使用される従来の機器は、付属の切断用チップを備えた超音波駆動されるハンドピースを含む。これらハンドピースのいくつかでは、作動部分、すなわち一組の圧電結晶体に直接取り付けられた中空の共鳴棒（resonating bar）又は中空のホーン（horn）が中央に位置する。結晶体は、水晶体超音波乳化吸引術の間、ホーン及び付属の切断用チップの両方を駆動するために超音波振動を供給する。
【０００５】
嚢切開手術に使用される従来技術の装置及び方法では、外科医の一部は、連続的な円形嚢穴を作り出すために豊富な技術を必要とする。このことは、装置の切断用チップの進路を制御するのが極端に困難であることによる。例えば、典型的な手術は、切開刀（例えば上述されたような切断用チップ）で作られた嚢の切開創から始まる。その後、切開刀を切断式（cutting fashion）よりもむしろ楔（wedge）として使用して嚢における切開創の前縁を押すことによって、この切開創は円又は長円の形状に誘導される。代替的に、細径鉗子を用いて前縁を把持して切断を進めることによって、初期の嚢の切開創が円形状に切り裂かれてもよい。これら手法のいずれも非常に手腕の問われる操作を含み、且つ切裂動作は、最も経験を積んだ熟練者においてでさえも、水晶体の背面に向かった、水晶体の望ましくない裂け目を導く場合がある。
【０００６】
更に、片が無い滑らかな嚢穴が最終的に作り出された場合でさえも、嚢穴の大きさ及び／又は位置が問題を起こすことがある。例えば、過度に小さい嚢穴は、水晶体核及び皮質を安全に取り除くのを遅らせ且つ水晶体嚢に人工水晶体を適切に挿入するのを妨げうる。小さい嚢穴又は誤って配設された嚢穴を用いて手術を遂行するのに必要な追加の圧力は、毛様小帯及び嚢の破損についてのリスクを眼に与える。これら合併症のどちらも、手術の長さ及び複雑さを増加させることがありうるだろうし且つ硝子体液の喪失をもたらすかもしれない。
【０００７】
したがって、適切に定置された連続的な円形孔が極めて望ましい。なぜならば、適切に定置された連続的な円形孔は、（１）径方向の裂け目及び前嚢における片の著しい減少、（２）水晶体プロテーゼ（lens prosthesis）の適切なセンタリングのために必要な嚢の完全性（integrity）、（３）安全且つ効果的なハイドロダイセクション（hydrodissection）、及び（４）視覚化が不十分な嚢及び／又は小さい瞳孔を有する患者に対する嚢手術の安全な使用をもたらすからである。加えて、後嚢混濁（「ＰＣＯ」）とも呼ばれる後発白内障の可能性を低下させるために、移植されるＩＯＬの直径に対して、且つ、提案される調節性ＩＯＬ設計を用いた使用について、嚢切開は適切に寸法が決められるべきである。したがって、前房の嚢切開を行うための改良された装置についての必要性が引き続き存在する。
【発明の概要】
【０００８】
以下、より完全に記述されるように、本発明の実施形態には、エラストマーリングを具備する、可撓性のある嚢切開電極装置が含まれ、エラストマーリングは、リングの前面上に配置された双極電極を備える。可撓性のある電極装置は、電極装置上の結合コネクタ及び挿入工具のストレッチャー棒（stretcher bar）上の結合コネクタを介して挿入工具に取り外し可能に取り付けられることができる。ストレッチャー棒は、一方のストレッチャー棒が他方のストレッチャー棒に対して並進移動せしめられ、これによって、可撓性のある電極装置が、細長い形態に伸長せしめられうるように構成される。可撓性のある電極装置の細長い形態では、可撓性のある電極装置を小さな切開創を通して眼の前房内に挿入することができる。眼内への挿入後、可撓性のある電極装置は、その通常の概して円の形状に弛緩することができ、水晶体嚢に適用される。電極は、水晶体前嚢の円形区域を焼灼させるべく高周波電源を使用して通電せしめられ、このため、嚢の組織が弱くされて、鉗子で容易に取り除かれうる水晶体嚢の一部分が画成される。焼灼処理の後、電極装置は眼から取り除かれる前にその細長い位置に伸長せしめられる。
【０００９】
本発明の態様には、上述された、可撓性のある嚢切開電極装置及び挿入工具、並びにこれらの変更だけでなく自動嚢切開システムを使用するための対応した方法も含まれる。したがって、本発明の実施形態には、エラストマーリングと、エラストマーリングの第１の面に配置され且つエラストマーリングの周りに同心円状に延在する第１導電性トレース及び第２導電性トレースと、第１導電性コネクタ及び第２導電性コネクタとを具備する嚢切開電極装置が含まれる。第１導電性コネクタ及び第２導電性コネクタは第１トレース及び第２トレースにそれぞれ電気的に接続され且つ互いからエラストマーリングを横断した反対側の点にそれぞれ配置される。いくつかの実施形態では、第１導電性コネクタ及び第２導電性コネクタの少なくとも一方は、エラストマーリング内に配置されたソケットを具備し、前記ソケットは、これら実施形態のいくつかでは、第１の面とは反対の方向から結合コネクタにアクセスできる。他の実施形態では、第１導電性コネクタ及び第２導電性コネクタの少なくとも一方は、エラストマーリングに取り付けられ且つエラストマーリングから延在するピンを具備し、前記ピンは、これら実施形態のいくつかでは、第１の面とは実質的に反対の方向においてエラストマーリングから延在する。様々な実施形態では、第１導電性トレース及び第２導電性トレースの一方又は両方は、エラストマーリングの第１の面に塗布される導電性インク、又はエラストマーリングの第１の面に塗布される接着ストリップ（adhesive strip）を具備する。いくつかの実施形態では、第１導電性トレースはエラストマーリングの周りに完全に延在し、これら実施形態のいくつかでは、第２伝導性トレースは、第１導電性トレースと第１導電性コネクタとの間の電気的な接続部に近接した不連続部を除いてエラストマーリングの周りに完全に延在する。
【００１０】
本発明の他の実施形態には、ハンドピースと、ハンドピースに固定され且つハンドピースの遠位端から延在する第１ストレッチャー棒と、第１ストレッチャー棒に対して往復運動できるように、ハンドピースの遠位端から延在し且つハンドピースに取り付けられた第２ストレッチャー棒とを具備する自動嚢切開システムが含まれる。これら実施形態では、第１ストレッチャー棒及び第２ストレッチャー棒の各々は、取り外し可能な可撓性のある嚢切開電極装置上の対応するコネクタと結合するように構成された導電性コネクタを具備する。
【００１１】
これら実施形態のいくつかでは、導電性コネクタの少なくとも一つは、嚢切開電極装置上の対応するソケットと結合するように構成されたピンを具備する。他の実施形態では、導電性コネクタの少なくとも一つは、嚢切開電極装置上の対応するピンと結合するように構成されたソケットを具備する。いくつかの実施形態では、第２ストレッチャー棒は、システムの使用者による手動操作のための、ハンドピース装置上の親指摺動部（thumb slide）に据え付けられることができ、一方、他のシステムは、第２ストレッチャー棒を並進移動させるための電気駆動システムを含んでもよい。本発明の他の実施形態には、本明細書において記述される任意の自動嚢切開システムであって、当該自動嚢切開システム上に設置された取り外し可能な可撓性のある嚢切開電極装置を備えた自動嚢切開システムが含まれ、第１ストレッチャー棒及び第２ストレッチャー棒上の導電性コネクタは、嚢切開電極装置上の対応するコネクタと係合される。
【００１２】
当然のことながら、当業者は、本発明が上記の特徴、利点、文脈、又は例に限定されるものではないことを理解し、且つ、以下の詳細な記述を読み且つ添付の図面を見ることで追加の特徴及び利点に気付くであろう。
【図面の簡単な説明】
【００１３】
【図１Ａ】図１Ａは、本発明のいくつかの実施形態に係る例示的な嚢切開電極装置の第１の図である。
【図１Ｂ】図１Ｂは、図１Ａの嚢切開電極装置の第２の図であり、装置の裏面を示す。
【図２】図２は、図１Ａ及び図１Ｂの嚢切開電極装置の代替的な実施形態を示す。
【図３】図３は、嚢切開電極装置の更に別の代替的な実施形態を示す。
【図４】図４は、本発明のいくつかの実施形態に係る嚢切開挿入装置を示す。
【図５】図５は、伸長形態における、図４の嚢切開挿入装置を示す。
【図６】図６は、図４の嚢切開挿入装置であって、当該嚢切開挿入装置上に設置された例示的な嚢切開電極装置を備えた嚢切開挿入装置を示す。
【図７】図７は、伸長形態における図６の嚢切開挿入システムを示す。
【図８】図８は、自動嚢切開システムを使用するための例示的な方法を示す処理フロー図である。
【発明を実施するための形態】
【００１４】
本発明の様々な実施形態では、嚢切開を行うのに使用される器械及び対応する方法が提供される。特に、本発明は、外科手術器具、すなわち可撓性のある嚢切開電極装置に関し、嚢切開電極装置は、嚢切開又は切嚢術（capsulotomy）を行うべく、小さい切開創を通して眼の前房内に定置されうる。この手順は、白内障の水晶体の水晶体超音波乳化吸引術と、人工水晶体（ＩＯＬ）の挿入とを促進する。
【００１５】
嚢切開処置を自動化するための様々な方法及び装置が提案されてきた。米国特許出願公開第２００６／０１００６１７号明細書には、エラストマー、アクリル材料、又は熱可塑性材料から製造された円形可撓リングを具備する「自動嚢切開」装置が記述され、この出願の全内容は参照によって本明細書の一部を構成する。様々な実施形態の各々において、この可撓リングには抵抗加熱要素又は一対の双極電極が組み込まれ、抵抗加熱要素又は一対の双極電極は、円形リング内において嚢の部分を容易に剥離するための弱くされた境界線を画成するように前嚢に局所加熱を生成すべく公知技術に従って通電せしめられる。様々な他の装置が提案されており、これら装置の多くは、抵抗加熱焼灼要素（resistive-heating cautery element）、例えば２０００年５月２３日に発行された米国特許第６０６６１３８号明細書、１９８４年１１月１３日に発行された米国特許第４４８１９４８号明細書、及び２００６年１０月１９日に公開された国際公開第２００６／１０９２９０号明細書に記載されたような抵抗加熱焼灼要素に依存する。前記参考文献の各々の全内容は、本発明についての背景技術及び背景を提供する目的で、参照によって本明細書の一部を構成する。
【００１６】
本明細書において開示されるいくつかの独創的な技術及び器械の広い適用性が当業者によって理解されるであろうが、本発明は、概して、一対の双極電極を通して水晶体前嚢に印加される高周波電流を使用して嚢切開を行うための方法及び器械を対象にする。斯かる種類の電極を製作するための一つの手法は、導電性トレースを形成すべくエラストマーリング上に導電性インクを堆積させることによって電極を形成すること、例えば、エラストマー基材（elastomeric substrate）をインサート成形し、その後、所望の寸法に導電性トレースをスクリーン印刷することによって電極を形成することである。代替的に、接着トレースが、予め製作されたエラストマーリングに塗布されることができ、又は導電性トレースがインサート成形工程を通してエラストマーリング１１０に結合されうる。したがって、図１は、本発明のいくつかの実施形態に係る例示的な嚢切開電極装置１００を示し、嚢切開電極装置１００は、双極電極１２０及び１３０を備えた可撓性のあるエラストマーリング１１０を具備し、双極電極１２０及び１３０はリングの前面１１５上に形成される。
【００１７】
エラストマーリング１１０並びに電極１２０及び１３０は、嚢切開の所望の大きさ（例えば約５ｍｍの直径）に従って寸法が決められる。水晶体嚢の一部が穴内において取り除かれるときに切裂を回避すべく、円形の穴が好まれることが当業者によって理解されるであろう。従って、図１のエラストマーリング１１０と、その上の電極１２０及び１３０とが円形として図示される。当然のことながら、円形状からのいくつかの変更がいくつかの用途において可能であることが当業者によって理解されるであろう。したがって、本明細書において使用されるような「リング」の用語が、概して、円形、長円、又は楕円の構造を含むことが理解されるであろう。
【００１８】
電極１２０及び１３０は、電極が通電せしめられるときに高周波電流によって焼灼される水晶体嚢の一部の境界を画成する。電極が水晶体前嚢に対して適用されるときに、電極１２０と１３０との間の空間は、隙間であって、電極が通電せしめられるときに高周波電流が当該隙間を横断して流れる隙間を画成する。斯かる電気外科手術の基本原理は、当業者に公知であり、例えば１００ｋＨｚよりも大きい周波数を含みうる。したがって、斯かる処置の詳細は本発明の完全な理解に必須ではなく本明細書では提供されない。
【００１９】
図１Ａにおいて示される例示的な形態では、内側電極１３０がエラストマーリング１１０の面の周りで完全な円を形成する。外側電極１２０は、電極１３０と同心であり、且つ、小さい隙間を除いて円を形成する。描かれた形態では、この不連続部は、電極１３０への接続点の近くにあり、電極間の電気的絶縁を維持するのに必要である。
【００２０】
図１Ｂは、嚢切開電極装置１００の裏側を示す。以下、より詳細に説明されるように、コネクタ１５０が、可撓性のある嚢切開電極装置１００と挿入工具との間の機械的な取付け点を提供する。コネクタ１５０は、電極１２０及び１３０と、挿入工具上の対応する電極との間の電気的な接続も提供する。図１Ｂでは、コネクタ１５０は、ソケットとして図示され、エラストマーリング１１０全体を通して延在する。いくつかの実施形態では、これらソケットは単に導電性インクを具備することができ、導電性インクは、エラストマーリング１１０を通して形成された孔の内面に塗布される。他の実施形態では、ソケットは、孔に挿入される導電性グロメット（grommet）から形成されてもよく、又はエラストマーリング１１０内にインサート成形される剛性ソケットとして形成されてもよい。いずれにしても、二つのコネクタ１５０の各々は、例えば、導電性インク、接着電気トレース（adhesive electrical trace）、半田、又はこれらの均等物を介して電極１２０及び１３０のうちの対応する電極に電気的に接続され、挿入工具上の対応するコネクタのために導電性の接触面も提供する。
【００２１】
図２において描かれた実施形態のような代替的な実施形態では、各コネクタはピン１７０を具備し、ピン１７０はエラストマーリングの後面１４５から延在する。ピン１７０の外面は挿入工具上の対応するソケットと接触するために導電性材料を含んで成り、且つ、各ピンは、例えば上述された任意の手段を用いて、電極１２０及び１３０のうちの対応する電極に接続される。
【００２２】
しかしながら、他の形態も可能であることが当業者によって理解されるであろう。例えば、図１及び図２において描かれた形態では、コネクタ１５０は、エラストマーリング１１０を横断した互いから真反対の点に配置され、且つ、電極１２０及び１３０によって形成された両方の同心円の外側にあり、このことによって、電極１３０がコネクタ１５０の一方に接続する点に近接した、電極１２０における小さな不連続部が必要とされる。他の形態では、コネクタの一方又は両方は、代わりに、電極１２０及び１３０によって形成された同心円の内側に定置されてもよい。一方のコネクタがリングの内側に向かって配置され且つ他方のコネクタが外部に向かって配置される場合、電極１２０及び１３０の両方は完全なループを形成することができる。この形態に係る例示的な嚢切開装置が図３において示される。しかしながら、装置が同様の寸法を有すると仮定すると、図３において描かれた実施形態は、図１及び図２において描かれた実施形態よりも幾分大きい挿入外形を有することに当業者は気付くであろう。
【００２３】
「前面」及び「後面」の本明細書における意味が恣意的であり且つ便宜の目的のみのために用いられることも当業者によって理解されるであろう。他に特定されない限り、「前面」の用語は、電極１２０及び１３０が形成される表面について言及し、一方、「後面」はそれとは反対側の面について言及する。前面１１５及び１４５のいずれか若しくは両方、又は任意の平らな表面が曲面であってよいことも当業者によって理解されるであろう。いくつかの実施形態では、例えば、前面１１５は平らな表面よりもむしろ僅かに凸状の曲面を有してもよい。一方、いくつかの場合、装置１００の内面、外面、裏面が単一の曲面輪郭を形成する限り、電極装置１００の裏側は凹状の曲面を有してもよい。
【００２４】
雌型コネクタ１５０又は雄型コネクタ１７０が、非常に小さい切開創を通して、例えば２ｍｍの切開創を通して眼内に挿入されることができる形状にエラストマーの嚢切開電極装置１００を伸長させることによってエラストマーの嚢切開電極装置１００の「折り畳み」を促進するのに使用されうる。嚢切開電極装置１００のこの機械的な伸長は、図４、図５、図６、及び図７において描かれたような挿入工具を用いて実現されうる。挿入工具４００は、ハンドピース４１０と、第１ストレッチャー棒４２０と、第２ストレッチャー棒４３０とを含む。第１ストレッチャー棒４２０及び第２ストレッチャー棒４３０は導電性コネクタ４２５及び４３５をそれぞれ有し、導電性コネクタ４２５及び４３５は、可撓性のある嚢切開電極装置上の対応するコネクタへの機械的且つ電気的な接続のためにそれぞれ構成される。描かれた実施形態では、第１ストレッチャー棒４２０はハンドピース４２０に堅く固定され、一方、第２ストレッチャー棒４３０は、図４において示されるような伸展位置から、図５において示されるような格納位置へ並進移動せしめられうる。この並進移動は、手術者によって手動制御されることができ、例えば、いくつかの実施形態では、ハンドピース４１０に配置された親指摺動部（図示せず）を介してなされてもよい。他の実施形態では、第２ストレッチャー棒４３０は、任意の多様な小型線形アクチュエータを使用するモータ駆動システムを使用して並進移動せしめられてもよい。
【００２５】
図６において示されるように、可撓性のある嚢切開電極装置１００は、第２ストレッチャー棒４３０がその伸展位置にある状態でコネクタ４２５及び４３５上に設置されうる。電極装置１００は、電極１２０及び１３０が挿入工具から離れた方向を向くように、コネクタ４２５及び４３５上に設置される。
【００２６】
第２ストレッチャー棒４３０のその格納位置への直線的な並進移動によって、電極装置１００は、その「弛緩した」形態における最大寸法よりもかなり小さい切開創を通して眼内に挿入されうるように伸長せしめられる。図７は、伸長形態における、可撓性のある電極装置１００を示す。眼内への挿入後、第２ストレッチャー棒４３０を再びその伸展位置に並進移動させることができ、このことによって、可撓性のある電極装置１００は嚢切開手術のためにその概して円の形状に戻ることができる。
【００２７】
図４〜図７において描かれた特定の挿入工具４００は、図１Ａ及び図１Ｂの雌型（ソケット）コネクタ１５０と機械的且つ電気的に結合するために適切なピンの形態の結合コネクタ４２５及び４３５を具備する。しかしながら、（図２において示されるような）雄型コネクタ１７０と結合するために適切な異なる結合コネクタ４２５及び４３５が代替的な実施形態において使用されてもよいことが当業者によって理解されるであろう。したがって、例えば、いくつかの実施形態では、コネクタ４２５及び４３５はそれぞれのストレッチャー棒から延在する柱（post）をそれぞれ具備することができ、この柱は、雄型コネクタ１７０と機械的且つ電気的に係合するために各柱内に配置されたソケットを備える。他の実施形態では、適切に設計された電極装置と結合するために、一つの雌型コネクタ及び一つの雄型コネクタを採用してもよい。いずれにしても、コネクタ４２５及び４３５は、電極装置上の対応するコネクタと接触する導電性表面を具備する。この導電性表面によって、ワイヤ又はリードを供給するための電気的な取付けが提供され、ワイヤ又はリードはそれぞれのストレッチャー棒４２０及び４３０並びにハンドピース４１０を通って適切な電源まで延在することができる。上記されたように、この電源は、装置が眼内に定置されて通電せしめられるときに水晶体前嚢に高周波電流を提供する。
【００２８】
上述された装置形態を考慮すると、図８が、本発明のいくつかの実施形態に係る自動嚢切開システムを使用するための例示的な方法を示すことが当業者によって理解されるであろう。ブロック８１０に示されるように、示された方法は、例えば図６において示されるように、取り外し可能な可撓性のある電極装置を挿入工具の第１ストレッチャー棒及び第２ストレッチャー棒に取り付けることから始まる。電極装置は、挿入工具に容易に組み立てられ且つ挿入工具から容易に取り外され、且ついくつかの実施形態では使い捨て可能であってもよい。この手法によって、（ストレッチャー棒及び結合コネクタを含む）挿入工具を殺菌して複数回再使用できるようになることが当業者によって理解されるであろう。
【００２９】
いずれにしても、示された手術では、次いで、ブロック８２０に示されるように、可撓性のある電極装置が、患者の眼の前房内への挿入のために、細長い形態へ伸長せしめられるように、一方のストレッチャー棒が他方のストレッチャー棒に対して並進移動せしめられる。ブロック８３０に示されるように、眼内への挿入後にストレッチャー棒が伸展位置に戻され、このため、ブロック８４０に示されるように、可撓性のある電極装置がその通常の形状に弛緩することが可能となる。ブロック８５０に示されるように、電極装置の前面は双極電極が嚢に接触し又は近接するように水晶体前嚢に対して配設され、電極装置が通電せしめられる。電極装置の通電後、電極によって画成される嚢領域は、弱くされて、従来の鉗子を使用して容易に取り除かれるようになる。
【００３０】
電極装置が通電せしめられた後、ブロック８６０に示されるように、ストレッチャー棒が、可撓性のある電極装置をその細長くされる位置に再び伸長させるべく再度並進移動せしめられる。その後、ブロック８７０に示されるように、電極装置が眼の前房から容易に取り除かれうる。
【００３１】
可撓性のある嚢切開電極装置、自動嚢切開挿入工具、及びこれら装置を使用するための方法の様々な実施形態の前述の説明は例示及び例の目的で与えられた。当然のことながら、本発明が、本発明の本質的特徴から逸脱することなく、本明細書において具体的に説明された態様とは別の態様で実行されうることが当業者によって理解されるであろう。したがって、本実施形態は全ての観点において例示的であり且つ限定されるものではないものとして見なされるべきであり、且つ添付の特許請求の意味及び均等の範囲内においてなされる全ての変更が本明細書において包含されることが意図されている。
【図１Ａ】
0005491521.tif 000002
【図１Ｂ】
0005491521.tif 000003
【図２】
0005491521.tif 000004
【図３】
0005491521.tif 000005
【図４】
0005491521.tif 000006
【図５】
0005491521.tif 000007
【図６】
0005491521.tif 000008
【図７】
0005491521.tif 000009
【図８】
0005491521.tif 000010